(57)【要約】【課題】本発明の課題は、在庫を管理すべき対象物の個々を区別して収納する個装収納庫に対象物が在庫／不在庫かを検出する簡単・小型・安価な構成の検出回路及び検出盤とこれを用いた在庫管理装置を提供することである。【解決手段】本発明の個装収納庫用在庫検出回路及び検出盤とこれを用いた在庫管理装置は、対象物の個々を区別して収納する仕切りを有する個装収納庫を複数集合する個装収納庫集合体の各々の個装収納庫の位置に対応して配置・配線され、対象物の在庫・不在庫によりＯＮ／ＯＦＦ状態が決まる在庫／不在庫検出スイッチを有する検出盤と、これを含み、各スイッチの端子から外部の在庫計数管理装置への接続のために引き出される配線用のコネクタを有する個装収納庫用在庫検出回路と、これに接続した在庫管理装置であることを特徴としている。【選択図】図１
2013230934.tif 000002
【特許請求の範囲】
【請求項１】
個装収納集合体と、検出盤と外部接続手段と在庫管理端末とを有し、
前記個装収納集合体は、収納対象物の個々を区別して収納する仕切りを有する個装収納庫を複数集合するもの、又は、収納対象物の個々を区別して吊り下げるフックを複数集合するものであり、
前記検出盤は、各々の前記個装収納庫又は、前記フックの位置に対応して配置・配線され、且つ、前記個装収納庫の底側又は前記フックの上側に備えられ、前記収納対象物の在庫・不在庫を読み取るための読み取り補助手段を介して検出した前記収納対象物の在庫・不在庫状況によりＯＮ／ＯＦＦ状態が決まる在庫／不在庫検出スイッチを有するものであり、
前記外部接続手段は、前記各在庫／不在庫検出スイッチの端子から有線による接続コネクタ或いは無線による送受信手段であり、
前記在庫管理端末は、前記コネクタを介して接続され、前記在庫・不在庫状況の読み取りを制御し、管理するものであることを特徴とする個装収納集合体用在庫管理装置。
【請求項２】
前記読み取り補助手段は、前記底側又は底板に備えた開口部又は穴、又は前記フックを付設した棒に備えた開口部又は穴、又は、これらを貫通し前記各在庫／不在庫検出スイッチのＯＮ／ＯＦＦを左右する可動片を可動させる可動棒、或いはこれに支持された可動板を備えたことを特徴とする請求項１記載の個装収納集合体用在庫管理装置。
【請求項３】
前記読み取り時に前記在庫管理端末から前記コネクタを介して、前記検出盤に読み取り稼動のための電源を供給することで読み取り時以外の電力消費を節減したことを特徴とする
請求項１又は請求項２記載の個装収納集合体用在庫管理装置。
【請求項４】
前記検出盤上の前記在庫／不在庫検出スイッチは、行と列のマトリックス状に配置され、
前記行と列の配線から個々の前記在庫／不在庫検出スイッチを順次選択し読み出すことを特徴とする請求項１から請求項３のいずれか１つに記載の個装収納集合体用在庫管理装置。
【請求項５】
前記個装収納集合体と前記検出盤を取り付け・取り外し自在に構成したことを特徴とする請求項１から請求項４のいずれか１つに記載の個装収納集合体用在庫管理装置。
【請求項６】
前記個装収納集合体と前記検出盤を収容する収容容器を有する場合、前記個装収納集合体を前記収容容器から取り出す場合に、前記個装収納庫から前記収納対象物が落ちないように前記個装収納庫に前記収納対象物を支える側壁と底板を有することを特徴とする請求項１から請求項５のいずれか１つに記載の個装収納集合体用在庫管理装置。
【請求項７】
前記個装収納庫の前記仕切り又は前記側壁に前記収納対象物の対応付けた色、図、番号、コードをつけて人手による収納、読み取りを容易にしたことを特徴とする請求項１から請求項６のいずれか１つに記載の個装収納集合体用在庫管理装置。
【請求項８】
前記在庫／不在庫検出スイッチは、二つの端子間に直列接続した複数の電気抵抗の接続点に接触離間自在な複数の電気接点を有し、前記各電気接点は、長さの異なる棒の先端に備えられ、多端は、一枚の導体片に接続されることで、前記収納対象物の存在・不存在により、前記各電気接点が順次前記電気抵抗の接続点に接して、前記各電気抵抗を順次短絡することで読み出す電気抵抗の大きさで前記収納対象物の存在・不存在状況を把握することを可能としたことを特徴とする請求項１から請求項７のいずれか１つに記載の個装収納集合体用在庫管理装置。
【請求項９】
バーコード、二次元コードを前記収納対象物の収納時の個体読み取りに併用したことを特徴とする請求項１から請求項８のいずれか１つに記載の個装収納集合体用在庫管理装置。
【発明の詳細な説明】
【技術分野】
【０００１】
本発明は、在庫を管理すべき対象物を個々を区別して収納する個装収納庫に対象物が在庫しているか、不在庫かを検出する回路とこれを集積する検出盤とこれらを用いた個装収納集合体用の在庫管理装置に関するものである。
【背景技術】
【０００２】
従来、在庫管理装置については、多くの提案がなされている。個装収納庫用の在庫管理装置に限らずに、在庫管理のために提案されたものを先行文献から見出すと以下のようである。図６は、従来の在庫管理に関する技術を示す図である。特許文献１には、６−Ｂ、特許文献２には、６−Ｃ、特許文献３には、６−Ｄ、特許文献４には、６−Ｅ、特許文献５には６−Ｆ、特許文献６には６−Ｇが示されている。又、特許文献７には、図には示さないが陳列コントローラが紹介されている。
６−Ｂにおいて、図ようにつり下げ具に複数の商品をつり下げ、計量手段により重量を求めて、単品重量から数量を求めるものである。これと同様に棚ごとに秤を設けて、重量を求め単品重量から数量を求めるものが、特許文献８に紹介されている。
６−Ｃにおいて、図のように商品パックにコイルとコンデンサを備えて、商品パックの穴に高周波共振回路を備えた棒状ガイドを通した場合に誘起される信号から商品パックの数量を求めるものである。
６−Ｄにおいて、図のように商品パックに磁石を備えて、商品パックの穴にホール素子を備えた棒状ガイドを通した場合に検知した信号から商品パックの数量を求めるものである。
６−Ｅでは、自動販売機の商品収納用の複数コラムごとに、コラムの上下の離れた位置に商品がある場合に閉状態になり、ない場合に開状態になる二つのスイッチｓｗ１、ｓｗ２を備えて、ｓｗ２の位置以上に複数の商品が残存しているか、それ以下の数か、更にｓｗ１以下で全く商品が存在しないかを検出している。一般に現在の自動販売機では、このようにコラムには複数の商品が搭載出来るようになっている。又、コラムへの商品の搭載の折に、カウンターで投入数をカウント出来ること、客が商品を購入する際に、購入ボタンを押すことや、商品の出の際にカウンターでカウント出来るので、コラムの在庫数量は、メモリ等に記憶され、容易に求めることが出来るので、現状ではこのような技術は必要ではない。
６−Ｆにおいて、自動販売機の商品収納コラムに商品販売検出手段、売り切れ検出手段、扉開閉検出手段、数量検出手段を備え、商品か人間の手等の商品以外かを判断可能としている。
６−Ｇにおいて、保管庫には、複数の保管棚に区画され、各保管棚には１種類の物品が複数入るようになっていて、重さセンサーで物品の重さを計量し、数量を割り出すようになっている。従って、基本的特許文献８と同じである。
６−Ｂ、６−Ｇにおいては、重量の計測手段を備えており、物品の存在以上に重量を求めて個数を割り出す手段になっているため、小型、安価でもっと簡易な手段が要望される。
６−Ｃ、６−Ｄは、共振回路などや、商品パックにコイル、コンデンサなどを備えることは、余分な不都合となる。
６−Ｅでは、コラムの内部にどれほどの商品が残存するかを複数のスイッチにより検出しているので、投入センサーと購入センサーで検出する現状の技術に比べても不都合であり、
自動販売機用途であることから複雑な構成となっている。
６−Ｆでは、自動販売機のセンサーが商品と商品以外かを区別出来るようにしているので、複雑で不都合である。
本願は、１個１個を個別の箇所に収納する個装収納庫の在庫／不在庫の状況を検出するものを目指しているので、構成が簡単で安価、小型に出来ること、検出が容易、短時間に出来ることが好ましい。
６−Ａにおいては、複数の個装収納庫に収納された物品の在庫状況を検出する図であるが、
バーコードや二次元コードなどを商品に印刷しておいて、リーダーで読む手段、ＲＦＩＤＴＡＧを商品に付けておいて、リーダーで読む手段が考えられるが、前者は、個装収納庫内で隠れない商品位置にバーコードや二次元コードを備えなければならない。安価ではあるが、１点ずつリーダーをかざして読むので商品数が多いと手間が掛り、また重複読みや読みぬけもあり得る欠点がある。後者は、一括読みが出来、短時間なので便利だが、商品が使用の際に取りだされることで、ＲＦＩＤＴＡＧが回収できない場合は勿体ない。現状では、未だ高価であるからである。読み込みに電波事情もあり、商品の包装や搭載状態も影響するなど困難な場合があるなど不都合があげられる。
【先行技術文献】
【特許文献】
【０００３】
【特許文献１】特開２００５−２３１７７２
【特許文献２】特開平１０−２２２６３５
【特許文献３】特開平１０−２２２６３６
【特許文献４】特開平７−１０５４３６
【特許文献５】特開２００２−２１６２２１
【特許文献６】特開平５−５１１０４
【特許文献７】特開平８−５５１６６
【特許文献８】実開昭５９−００４０５７
【発明の概要】
【発明が解決しようとする課題】
【０００４】
本発明の課題は、在庫を管理すべき対象物の個々を区別して収納する個装収納庫に対象物が在庫／不在庫かを検出する簡単・小型・安価な構成の検出回路及び検出盤とこれを用いた個装収納集合体用在庫管理装置を提供することである。
【課題を解決するための手段】
【０００５】
本発明による個装収納集合体用在庫管理装置は、
対象物の個々を区別して収納する仕切りを有する個装収納庫を複数集合する個装収納集合体の各々の個装収納庫の位置に対応して配置・配線され、対象物の在庫・不在庫によりＯＮ／ＯＦＦ状態が決まる在庫／不在庫検出スイッチを有する検出盤と、これを含み、各スイッチの端子から外部の在庫計数管理装置への接続のために引き出される配線用の外部接続手段を有する個装収納庫用在庫検出回路と、これに接続した在庫管理装置であることを特徴とする。
以下請求項に沿って述べる。
【０００６】
請求項１記載の発明は、個装収納集合体用在庫管理装置であって、
個装収納集合体と、検出盤と外部接続手段と在庫管理端末とを有し、
前記個装収納集合体は、収納対象物の個々を区別して収納する仕切りを有する個装収納庫を複数集合するもの、又は、収納対象物の個々を区別して吊り下げるフックを複数集合するものであり、
前記検出盤は、各々の前記個装収納庫又は、前記フックの位置に対応して配置・配線され、且つ、前記個装収納庫の底側又は前記フックの上側に備えられ、前記収納対象物の在庫・不在庫を読み取るための読み取り補助手段を介して検出した前記収納対象物の在庫・不在庫状況によりＯＮ／ＯＦＦ状態が決まる在庫／不在庫検出スイッチを有するものであり、
前記外部接続手段は、前記各在庫／不在庫検出スイッチの端子から有線による接続コネクタ或いは無線による送受信手段であり、
前記在庫管理端末は、前記コネクタを介して接続され、前記在庫・不在庫状況の読み取りを制御し、管理するものであることを特徴とする。
【０００７】
請求項２記載の発明は、請求項１記載の個装収納集合体用在庫管理装置において、
前記読み取り補助手段は、前記底側又は底板に備えた開口部又は穴、又は前記フックを付設した棒に備えた開口部又は穴、又は、これらを貫通し前記各在庫／不在庫検出スイッチのＯＮ／ＯＦＦを左右する可動片を可動させる可動棒、或いはこれに支持された可動板を備えたことを特徴とする。
【０００８】
請求項３記載の発明は、請求項１又は請求項２記載の個装収納集合体用在庫管理装置において、前記読み取り時に前記在庫管理端末から前記外部接続手段を介して、前記検出盤に読み取り稼動のための電源を供給することで読み取り時以外の電力消費を節減したことを特徴とする。
【０００９】
請求項４記載の発明は、請求項１から請求項３のいずれか１つに記載の個装収納集合体用在庫管理装置において、
前記検出盤上の前記在庫／不在庫検出スイッチは、行と列のマトリックス状に配置され、
前記行と列の配線から個々の前記在庫／不在庫検出スイッチを順次選択し読み出すことを特徴とする。
【００１０】
請求項５記載の発明は、請求項１から請求項４のいずれか１つに記載の個装収納集合体用在庫管理装置において、前記個装収納集合体と前記検出盤を取り付け・取り外し自在に構成したことを特徴とする。
【００１１】
請求項６記載の発明は、請求項１から請求項５のいずれか１つに記載の個装収納集合体用在庫管理装置において、
前記個装収納集合体と前記検出盤を収容する収容容器を有する場合、前記個装収納集合体を前記収容容器から取り出す場合に、前記個装収納庫から前記収納対象物が落ちないように前記個装収納庫に前記収納対象物を支える側壁と底板を有することを特徴とする。
【００１２】
請求項７記載の発明は、請求項１から請求項６のいずれか１つに記載の個装収納集合体用在庫管理装置において、
前記個装収納庫の前記仕切り又は前記側壁に前記収納対象物の対応付けた色、図、番号、コードをつけて人手による収納、読み取りを容易にしたことを特徴とする。
【００１３】
請求項８記載の発明は、請求項１から請求項７のいずれか１つに記載の個装収納集合体用在庫管理装置において、
前記在庫／不在庫検出スイッチは、二つの端子間に直列接続した複数の電気抵抗の接続点に接触離間自在な複数の電気接点を有し、前記各電気接点は、長さの異なる棒の先端に備えられ、多端は、一枚の導体片に接続されることで、前記収納対象物の存在・不存在により、前記各電気接点が順次前記電気抵抗の接続点に接して、前記各電気抵抗を順次短絡することで読み出す電気抵抗の大きさで前記収納対象物の存在・不存在状況を把握することを可能としたことを特徴とする。
【００１４】
請求項９記載の発明は、請求項１から請求項８のいずれか１つに記載の個装収納集合体用在庫管理装置において、
バーコード、二次元コードを前記収納対象物の収納時の個体読み取りに併用したことを特徴とする。
【発明の効果】
【００１５】
以上の様に構成されているので、本発明による個装収納集合体用在庫管理装置は、在庫検出時に検出回路へ管理端末の外部接続手段を接続して、ここから電源を供給し、各個装収納庫の在庫スイッチの状態を順次切り替えて検出するので、非検出時は無電力であり、スイッチも極めて小型で集積でき安価構成で提供出来る。
【図面の簡単な説明】
【００１６】
【図１】本発明による個装収納集合体用在庫管理装置の一実施態様を示す図である。
【図２】本発明による個装収納集合体用在庫管理装置に使用する個装収納集合体と個装収納庫の一実施態様を示す図である。
【図３】本発明等の個装収納集合体用在庫管理装置において使用する在庫管理台帳の例を示す図である。
【図４】本発明等の個装収納集合体用在庫管理装置に使用する個装収納庫用在庫検出盤の一実施態様を示す図である。
【図５】本発明等の個装収納集合体用在庫管理装置に使用する個装収納庫用在庫検出盤とこれに使用するフック型収納スイッチの一実施態様を示す図である。
【図６】従来の在庫管理に関する技術を示す図である。
【発明を実施するための形態】
【００１７】
本発明による個装収納集合体用在庫管理装置は、対象物の個々を区別して収納する仕切りを有する個装収納庫を複数集合する個装収納集合体の各々の個装収納庫の位置に対応して配置・配線され、対象物の在庫・不在庫によりＯＮ／ＯＦＦ状態が決まる在庫／不在庫検出スイッチを有する検出盤と、これを含み、各スイッチの端子から外部の在庫計数管理装置への接続のために引き出される配線用の外部接続手段を有する個装収納庫用在庫検出回路と、これに接続した在庫管理装置であること、更に、個装収納庫の底板に設けた読取補助穴を介して在庫状況を在庫／不在庫検出スイッチの読み取りを容易としたことを特徴とする。
以下図に沿って説明する。
【００１８】
図１は、本発明による個装収納集合体用在庫管理装置の一実施態様を示す図である。１−Ａは、個装収納庫の複数個を集合した収納容器であり、１−Ｂは、収納容器内に配置される個々を区別する仕切りを有する個装収納庫を複数集合する個装収納集合体であり、１−Ｃは、在庫／不在庫検出スイッチが個装収納庫の個々の位置に一致して配置され、その端子から外部の在庫計数管理装置への接続のために引き出される配線用の外部接続手段を有する個装収納庫用在庫検出回路及び検出盤であり、１−Ｄは、在庫検出時に外部接続手段に接続され、個装収納庫用在庫検出回路に電源を供給し検出回路を活性化し、在庫／不在庫のデータを検出するための読み込み信号を発生して、データを把握し、管理データを作成する在庫管理装置を示している。
先ず、１−Ａにおいて、収納容器１００は、図のように容器本体１０１があり、その中には、個装収納集合体１１０と、個装収納庫用在庫検出回路１２１を搭載した個装収納庫用在庫検出盤１２０、外部接続手段１２３が備えられている。
収納容器１００は、図のように開閉形の蓋１０３をつけてもよいし、引き出し形にしてもよい。又、収納すべき商品等の収納対象物１０２の在庫状況が見えるように透明にしてもよい。
【００１９】
１−Ｂにおいて、個装収納集合体１１０は、収納対象物１０２の個々を収容する空間を有する個装収納庫１１１を複数個備えている。個装収納庫１１１の場所を示す区画等には
収納対象物１０２の種別に応じて色分けや、バーコード、二次元コード、ＲＦ−ＩＤＴＡＧ等を備えることは便利である。
【００２０】
１−Ｃにおいて、個装収納庫用在庫検出盤１２０には、個装収納庫用在庫検出回路１２１が搭載され、個装収納庫用在庫検出回路１２１から引き出された検出読み出し配線１２２が外部接続手段１２３に接続されている。
配線１２２と外部接続手段１２３の間には、個装収納庫用在庫検出回路１２１の各個装収納庫に対応した各在庫／不在庫検出スイッチ１２５を順次切り替えて読むための選択スイッチ１２４を介在させ、在庫管理装置１３０から検出読み込み信号を与えて、選択スイッチ１２４を切りかえることが可能である。
尚、個装収納庫用在庫検出回路１２１は、個々の個装収納庫ごとの収納対象物１０２の在庫／不在庫を検出する在庫／不在庫検出スイッチ１２５を各個装収納庫の位置に対応して
集合し、各在庫／不在庫検出スイッチ１２５の状態を観測するための電気配線を備えた回路である。在庫／不在庫検出スイッチ１２５が行列状に多数存在するので、マトリックス状に組まれると好都合である。
【００２１】
１−Ｄにおいて、在庫管理装置１３０には、在庫管理装置端末１３１とこれから選択スイッチ１２４を切り替える信号を出し、在庫／不在庫検出スイッチ１２５の個々の状態を読み出すための信号線を外部接続手段１２３としてのコネクタ１２３Ａに接続するための外部接続手段差込１３２を備えている。他に、管理表など必要な情報を印刷するプリンター１３３を備えてもよい。在庫管理装置端末１３１では、電源ｏｎ／ｏｆｆスイッチ、読み取り開始ボタン、文字・数字など入力キーを備えてもよい。又、表示器を備えるのは好都合である。在庫管理装置端末１３１には、在庫データを読み取り、在庫台帳に反映すること、収納対象物の入力などの在庫管理に必要な機能を単独で行う以外に通信機能を備えて、中央管理装置と交信を行って動作を実現してもよいことは勿論である。
【００２２】
尚、図では、有線の配線接続の場合で示したが、外部接続手段１２３としてのコネクタ１２３Ａとコネクタ差込１３２の代わりに両側に無線送受信手段を備えれば、電気的有線接続を行わなくとも読み取りや書き込みが可能であることは当然である。
【００２３】
図２は、本発明による個装収納集合体用在庫管理装置に使用する個装収納集合体と個装収納庫の一実施態様を示す図である。
個装収納庫１１０は、１−Ｂで示したものは、端に存在するものは、外壁板が無い状態で、外壁板が容器本体１０１の側壁で兼用されていた。収納対象物１０２を収納した状態で個装収納庫１１０を容器本体１０１から取り出す必要なある場合には、収納対象物１０２が個装収納庫１１０から落ちないように、個装収納庫１１０は、側壁と底板を備えているほうがよい。図２においては、側壁板２０１と底板２０２を備えた例を示している。２−Ｂは、個装収納庫１１０の１個を示しているが、多数の点によるハッチング部２０４を切り欠いて、内部が見えるようにしたのが、２−Ｃ、２−Ｄ、２−Ｅである。２−Ｃは、底板２０２に在庫状況の読み取りを補助するための読取補助穴２０５を備えたものであり、これだけでもこの穴を通じて、各在庫／不在庫検出スイッチ１２５としての発光ダイオードからの光を収納対象物１０２に当て、反射光をこの穴を通じて受光ダイオードで受けることで、収納対象物１０２の在庫状況を把握することが可能である。２−Ｄでは、読取補助穴２０５を通じて、収納対象物１０２の重量により押し下げられる上下動自在の可動棒２０６が下からはみ出した状態を示している。従って、収納対象物１０２がある場合には、可動棒２０６が下げられて、図示しない電気接点を接触させたり、光を遮ったりまたは通過させたりして在庫検出データを与えることができる。２−Ｅでは、読取補助穴２０５が複数開いていて、これに可動棒２０６が各々差し込まれていて、可動棒２０６の上端についた搭載板２０７を収納対象物１０２が押すことで、可動棒２０６の下端についた可動板２０８が上下するようになったものである。これらのものは色々の変更が可能である。
【００２４】
図３は、本発明等の個装収納集合体用在庫管理装置において使用する在庫管理台帳の例を示す図である。
在庫管理に使用する台帳のイメージは、どのようなものでも可能である。この例では、
左から「庫」の欄は、個装収納庫の個々を識別する番号等を記述する。「品番」の欄は、その個装収納庫に入れた収納対象物を識別する番号を示す。「品名」の欄は、収納対象物を識別する商品名を示す。「前回数」の欄は、個装収納庫の在庫状況をまとめずにそのまま示す場合は、在庫では１、不在庫では０となる。然しながら、管理の便宜上、個々の個装収納庫の在庫状況を把握し、品名、品番ごとにまとめて台帳に記述することは便利である。このような場合には、「庫」の欄には、個装収納庫の複数の番号を入れることも可能であり、
その場合は、「前回数」の欄は、同じ品番、品名ごとに個装収納庫の在庫数を集計したものを記述してもかまわない。すなわち、個装収納庫での個々の収納対象物の在庫把握と台帳へのまとめを別に扱ってもよいことは勿論である。管理のためのチェック時点のデータを月日と共にまとめたのがその下の欄であり、検出した在庫数を用いて前回数または繰越数から引き算して使用数が計算される。新たな補充数を入れると繰越数が確定して、次回のチェックに備えられる。
【００２５】
図４は、本発明等の個装収納集合体用在庫管理装置に使用する個装収納庫用在庫検出盤の一実施態様を示す図である。
４−Ａには、１−Ｃに示すものを再度示している。それらの詳細の例を４−Ｂ、４−Ｃ、４−Ｄ、４−Ｅ、４−Ｆに示す。
４−Ｂにおいて、各在庫／不在庫検出スイッチ１２５として、収納対象物が在庫することで可動棒２０６が押されて、可動棒２０６に備わった導体片４０１が二つの電気接点４０２間を短絡するものを示す。収納対象物が収納される個装収納庫の底板の上または下に置かれる可動板４０３に付設された導体片４０１がバネ等の復元体４０４で支持されている。可動板４０３が下がれば、導体片４０１が電気接点を短絡し、上がれば開放する。可動板４０３が個装収納庫の底板の上にある場合は、復元体４０４の下に底板があることになる。勿論読取補助穴２０５があって、可動棒２０６が貫通しているのは当然である。可動板４０３が個装収納庫の底板の下にある場合は、２−Ｄでの可動棒２０６が可動板４０３を押し下げることになる。４−Ｃにおいて、４−Ｂの各在庫／不在庫検出スイッチ１２５が個装収納庫の個々の位置に対応して配列され、特に個々では行列状に配列されたものを示す。各在庫／不在庫検出スイッチ１２５の各対の電気接点を順次読み出すには、行と列の配線を一つずつ順次選択することで可能である。４−Ｄにおいて、電気接点ではなく、発光ダイオードと受光ダイオードの対による光センサを行列に配置した例を示す。収納対象物が在庫することで、反射光が影響を受け、または可動片により透過光が影響を受けるので、在庫状況を把握することができる。電気接点と同じく、行と列の配線を一つずつ順次選択することで可能である。個装収納庫は基本的には１個ずつ収納するが、複数個を収納し、ある個数以上または以下の在庫かどうかの判断を行う場合、或いはある個数を複数種設定したい場合は、４−Ｅと４−Ｆに示すスイッチを使用できる。重量を連続的に測ることはできないが、以上か以下などの存在を把握する点では、個々の存在・不存在を見ることと違いが無いといえる。４−Ｆにおいて、導体の導体片４０１が押し下げられると、収納対象物の重量または数量による重量の差異によって、導体片４０１の下がり方が異なる。可動板には、この例では電気接点４０２を有する４つの接点棒４０５Ａ、４０５Ｂ、４０５Ｃ、４０５Ｄが備えてある。電気接点４０２と導体片４０１間は、電気的に繋がっている。
接点棒４０５Ａ、４０５Ｂは同じ長さで、他は順に長さに差がある。下側には、電気接点の間隔だけ離れて直列接続で配置された抵抗を備えた抵抗配置板４１０があって、導体片４０１が押し下げられていない場合は、４つの接点とも抵抗配置板４１０には接触せず、端子４１１Ａと４１１Ｂの間の抵抗は３つの抵抗分の値である。導体片４０１が少し下がって、接点棒４０５Ａ、４０５Ｂが抵抗配置板４１０に接触すると、接点間の抵抗が短絡されるので、２つの抵抗分の値となる。更に導体片４０１が少し下がって、接点棒４０５Ａ、４０５Ｂ、４０５Ｃが抵抗配置板４１０に接触すると、１つの抵抗分の値となる。更に導体片４０１が少し下がって、接点棒４０５Ａ、４０５Ｂ、４０５Ｃ、４０５Ｄが抵抗配置板４１０に接触すると、抵抗分の無い値となる。このように、ある値より以上か以下か、ある値を複数個設定することが可能である。４−Ｅは、４−Ｆのスイッチを回路で表したものである。導体片４０１は、複数の段階で接点を接触させることができる。
【００２６】
図５は、本発明等の個装収納集合体用在庫管理装置に使用する個装収納庫用在庫検出盤とこれに使用するフック型収納スイッチの一実施態様を示す図である。収納対象物を吊り下げて使用する場合に収納対象物が存在（吊り下げられているか）しているかを検出する在庫／不在庫検出スイッチ１２５の例である。電気接点による５−Ａにおいて、二つの電気端子５０１Ａ、５０１Ｂが基板５０２上に配置され、基板に対して接近離間するように可動の導体片５０３が備わっている。この例では、導体片５０３には収納対象物を吊り下げるためのフック５０５が連動するように備えられ、収納対象物が存在しない場合は、バネ等の復元体５０４により戻るようになっている。収納対象物を吊り下げると導体片５０３が下がって、二つの電気端子５０１Ａ、５０１Ｂが導体片５０３により短絡される。
５−Ｂにおいて、収納対象物を吊り下げるためのフック５０５は、収納対象物の存在・不存在による上下するが、フック５０５を備える支持棒５０６は、収納対象物が存在しない場合は、バネ等の復元体５０４により戻るようになっている。支持棒５０６には、これと連動する遮蔽片５０７が備えられ、これの位置により光が伝達或いは遮られ、発光ダイオード５０８と受光ダイオード５０９による光スイッチ５１０の間の光の伝達に影響するようになっている。尚、５−Ａ、５−Ｂとも、可動制限板５１１を備えていて、フック５０５が引き下げられたとき、これが固定体に当たって止まり、これ以上の引き下げをできないようにすることがよい。無制限に引き下げることができると、復元の限度を越えて回復しないことになるためである。これは、いたずらによる破壊を防止するためにも必要である。停止位置では、未だ復元弾性の範囲内に抑えておくことである。
５−Ｃでは、５−Ａまたは５−Ｂのフック型収納スイッチを吊り下げスタック棒に複数（この例では３個）集合したものであり、５−Ｄでは、基板上に複数個行と列をなして集合配置したものであり、各々のスイッチの端子は、４−Ｃのように配線接続されているものとする。
【００２７】
尚、在庫状況は、本願の個装収納集合体用在庫管理装置でおこない、入庫における収納対象物の品番や品名などの読み込みをバーコード、２次元コードなどの他の手段を用いて行う混成の手段もとることができる。
又、検出には、対象物の在庫・不在庫そのものにより検出するもの、例えば、対象物による光の反射光を光スイッチの受光ダイオードが受光するものや、在庫による対象物の重みで底にある切片が移動し、この移動により受光ダイオードへの光（反射光、透過光）を遮断するものなど、直接、間接の手段が取れる。又、電気接点、光スイッチ以外に磁気スイッチ、その他の近接スイッチも用いることができる。
尚、個装収納庫の仕切り又は側壁に収納対象物の対応付けた色、図、番号、コードをつけて人手による収納、読み取りを容易にすると便利である。
【産業上の利用可能性】
【００２８】
以上のように本発明による個装収納集合体用在庫管理装置は、簡単な構成で個装収納庫に収納された収納対象物の在庫・不在庫を順次且つ瞬時に検出できるので、産業上の利用性が極めて大きい。
【符号の説明】
【００２９】
１００  収納容器
１０１  容器本体
１０２  収納対象物
１０３  蓋
１１０  個装収納集合体
１１１  個装収納庫
１２０  個装収納庫用在庫検出盤
１２１  個装収納庫用在庫検出回路
１２２  配線
１２３  外部接続手段
１２３Ａ  コネクタ
１２４  選択スイッチ
１２５  在庫／不在庫検出スイッチ
１３０  在庫管理装置
１３１  在庫管理装置端末
１３２  コネクタ差込
１３３  プリンター
２０１  側壁板
２０２  底板
２０４  ハッチング部
２０５  読取補助穴
２０６  可動棒
２０７  搭載板
４０１  導体片
４０２  電気接点
４０３  可動板
４０４、５０４  復元体
４０５Ａ、４０５Ｂ、４０５Ｃ、４０５Ｄ  接点棒
４１０  抵抗配置板
４１１Ａ、４１１Ｂ  端子
５０１Ａ、５０１Ｂ  電気端子
５０２  基板
５０３  導体片
５０５  フック
５０６  支持棒
５０７  遮蔽片
５０８  発光ダイオード
５０９  受光ダイオード
５１０  光スイッチ
５１１  可動制限板
【図１】
2013230934.tif 000003
【図２】
2013230934.tif 000004
【図３】
2013230934.tif 000005
【図４】
2013230934.tif 000006
【図５】
2013230934.tif 000007
【図６】
2013230934.tif 000008